(57)【要約】【課題】シリンダ錠のカム部材が位置する基枠体内の背面、側面などを覆い、針金等の不正器具による不正解錠を防止することができるパチンコ機の施錠装置を提供する。【解決手段】上部と下部に鉤部を一体に形成してなる前面枠施錠杆４が基枠体１の支持板に沿って摺動可能に支持される。上部と下部に鉤部を一体に形成してなるガラス枠施錠杆５が支持板に沿って摺動可能に配設される。基枠体１の中間部にシリンダ錠７が取り付けられ、シリンダ錠７の錠軸の先端に前面枠施錠杆またはガラス枠施錠杆と回転方向に応じて係合するカム部材１０が固定される。基枠体１が断面コ字状のチャンネル材形状に形成される。シリンダ錠７が取り付けられた基枠体１の一面を正面としたとき、基枠体１の右側面と背面に壁部１ａ，１ｂが形成される。基枠体の背面におけるカム部材１０の対向位置に開口部１ｅが形成され、開口部１ｅを閉鎖するカバー部材１９が開閉可能に設けられる。【選択図】図６
2008061701.tif 000002
【特許請求の範囲】
【請求項１】
上部と下部に鉤部を一体に形成してなる前面枠施錠杆が基枠体の支持板に沿って摺動可能に支持され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記前面枠施錠杆またはガラス枠施錠杆と回転方向に応じて係合するカム部材が固定され、該基枠体がパチンコ機の前面枠に縦に取付けられ、該パチンコ機の本体枠側に取付けられた受け金具の係止部に該鉤部が係止されて前面枠を施錠し、前面枠の内側に開閉可能に取り付けられたガラス枠の一部がガラス枠施錠杆の鉤部に係止されて該ガラス枠を施錠するパチンコ機の施錠装置において、
該基枠体が断面コ字状のチャンネル材形状に形成され、該シリンダ錠が取り付けられた該基枠体の一面を正面としたとき、該基枠体の右側面と背面に壁部が形成される一方、該基枠体の背面側の壁部における前記カム部材の対向位置に開口部が形成され、該開口部を閉鎖するカバー部材が開閉または着脱可能に設けられたことを特徴とするパチンコ機の施錠装置。
【請求項２】
前記前面枠施錠杆の鉤部近傍の側部に、ロック部材が揺動可能に枢支され、該ガラス枠施錠杆の鉤部近傍の側部に、ロック部材が揺動可能に枢支され、前面枠用のロック部材には前面枠の施錠時に本体枠側の受け金具に係止されて前面枠施錠杆の移動をロックする係止部が設けられ、ガラス枠用のロック部材にはガラス枠の施錠時にガラス枠の一部に係止されてガラス枠施錠杆の移動をロックする係止部が設けられ、該前面枠施錠杆及び該ガラス枠施錠杆に沿ってロック解除部材がシリンダ錠の解錠操作により回動するカム部材に係合して摺動可能に配設され、該ロック解除部材には、前面枠施錠杆のロック部材をロック解除方向に揺動させる係合部とガラス枠施錠杆のロック部材をロック解除方向に揺動させる係合部が設けられたことを特徴とする請求項１記載のパチンコ機の施錠装置。
【請求項３】
前記カバー部材は、先端に把手部を有すると共に、前記基枠体の長手方向に摺動して前記開口部を開閉し、該開口部の開放時には該基枠体の右側面の壁部の内側に収納されることを特徴とする請求項１記載のパチンコ機の施錠装置。
【請求項４】
前記カバー部材は、合成樹脂により前記開口部を閉鎖する形状に一体成形され、該カバー部材の端部には該基枠体の背面の壁部の縁部に係止される係止爪が設けられたことを特徴とする請求項１記載のパチンコ機の施錠装置。                                                                        
【発明の詳細な説明】
【技術分野】
【０００１】
本発明は、パチンコ機の前面枠の内側に取り付けられ、前面枠を本体枠に対し施錠すると共に、ガラス枠を前面枠に対し施錠するパチンコ機の施錠装置に関する。
【背景技術】
【０００２】
パチンコ機の前面枠を本体枠に対し施錠する施錠装置として、断面Ｌ字状またはコ字状の取付板と支持板を有した基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている。
【０００３】
この種の施錠装置は、シリンダ錠の錠軸をキーで回すことにより、カム板を回動させ、カム板に係合する連結杆を上下に摺動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、パチンコ機の一部に隙間があって、その隙間から針金等を内部に差し込み、針金等で鉤部材に直接力を加えて傾動させると、前面枠がキーを用いずに不正に解錠されてしまう問題があった。
【０００４】
そこで、本発明者らは、施錠完了時に前面枠用の施錠杆の動きをロックするロック部材を施錠杆に枢支し、解錠時にロック部材のロックを解除する機構を設けることにより、上記のような不正解錠を防止する施錠装置を、下記特許文献１などで提案している。
【特許文献１】特開２００３−３２５９１８号公報
【発明の開示】
【発明が解決しようとする課題】
【０００５】
この施錠時に前面枠用の施錠杆をロックして不正解錠を防止する施錠装置は、パチンコ機の前面枠を本体枠に対し閉じて、鉤部材を受け金具の係止部に係止させ、施錠を完了すると、ロック部材が施錠杆をロックすることにより鉤部材がロックされる。これにより、パチンコ機の本体枠と前面枠の隙間等から、針金等を差し込んで、施錠杆や鉤部を直接動かして不正解錠をしようとしても、施錠状態にある施錠杆や鉤部はロックされて動かず、不正解錠を防止するものである。
【０００６】
しかしながら、上記の施錠装置では、前面枠用の施錠杆を施錠時にロックして前面枠の不正解錠を防止できるものの、同じ基枠体内に配設されたガラス枠用の施錠杆については、ロック部材が設けられていないため、施錠時のロック機能が動作せず、針金等の不正器具の先端をガラス枠用の施錠杆に引っ掛けてロックを解除し、ガラス枠が不正に解錠される可能性があった。
【０００７】
本発明は、上記の課題を解決するためになされたもので、シリンダ錠のカム部材が位置する基枠体内の背面、側面などを覆い、針金等の不正器具による不正解錠を防止することができるパチンコ機の施錠装置を提供することを目的とする。
【課題を解決するための手段】
【０００８】
上記の目的を達成するために、本発明の請求項１の施錠装置は、上部と下部に鉤部を一体に形成してなる前面枠施錠杆が基枠体の支持板に沿って摺動可能に支持され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記前面枠施錠杆またはガラス枠施錠杆と回転方向に応じて係合するカム部材が固定され、該基枠体がパチンコ機の前面枠に縦に取付けられ、該パチンコ機の本体枠側に取付けられた受け金具の係止部に該鉤部が係止されて前面枠を施錠し、前面枠の内側に開閉可能に取り付けられたガラス枠の一部がガラス枠施錠杆の鉤部に係止されて該ガラス枠を施錠するパチンコ機の施錠装置において、該基枠体が断面コ字状のチャンネル材形状に形成され、該シリンダ錠が取り付けられた該基枠体の一面を正面としたとき、該基枠体の右側面と背面に壁部が形成される一方、該基枠体の背面における前記カム部材の対向位置に開口部が形成され、該開口部を閉鎖するカバー部材が開閉または着脱可能に設けられたことを特徴とする。
【０００９】
また、請求項２の施錠装置は、上記請求項１に記載のパチンコ機の施錠装置において、該前面枠施錠杆の鉤部近傍の側部にロック部材が揺動可能に枢支され、該ガラス枠施錠杆の鉤部近傍の側部にロック部材が揺動可能に枢支され、前面枠用のロック部材には前面枠の施錠時に本体枠側の受け金具に係止されて前面枠施錠杆の移動をロックする係止部が設けられ、ガラス枠用のロック部材にはガラス枠の施錠時にガラス枠の一部に係止されてガラス枠施錠杆の移動をロックする係止部が設けられ、該前面枠施錠杆及び該ガラス枠施錠杆に沿ってロック解除部材がシリンダ錠の解錠操作により回動するカム部材に係合して摺動可能に配設され、該ロック解除部材には、前面枠施錠杆のロック部材をロック解除方向に揺動させる係合部とガラス枠施錠杆のロック部材をロック解除方向に揺動させる係合部が設けられたことを特徴とする。
【００１０】
また、本発明の請求項３の施錠装置は、上記請求項１に記載のパチンコ機の施錠装置において、上記カバー部材が、先端に把手部を有すると共に、上記基枠体の長手方向に摺動して上記開口部を開閉し、開口部の開放時には基枠体の右側面の壁部の内側に収納されることを特徴とする。
【００１１】
また、本発明の請求項４の施錠装置は、上記請求項１に記載のパチンコ機の施錠装置において、上記カバー部材が、合成樹脂により上記開口部を閉鎖する形状に一体成形され、カバー部材の端部に基枠体の背面の壁部の縁部に係止される係止爪が設けられたことを特徴とする。
【発明の効果】
【００１２】
上記構成の請求項１の施錠装置によれば、基枠体が断面コ字状のチャンネル材形状に形成され、シリンダ錠が取り付けられた基枠体の一面を正面としたとき、基枠体の右側面と背面に壁部が形成されるから、パチンコ機では通常、前面枠の開閉する自由端側、つまり前面枠の右側縁部に、縦に施錠装置が取り付けられ、前面枠と本体枠の自由端側の隙間が基枠体の右側面近傍に位置することになるが、基枠体の右側面と背面に壁部が形成されて基枠体の内側のカム部材などが壁で覆われるため、針金などの不正器具を自由端側の隙間から前面枠の内側に差し込み、基枠体の内側のカム部材を不正に回動させようとしても、基枠体の内側に不正器具を到達させることができず、不正解錠を防止することができる。
【００１３】
また、基枠体の背面におけるカム部材の対向位置に開口部が形成され、開口部を閉鎖するカバー部材が開閉または着脱可能に設けられたから、カム部材を調整し或いはシリンダ錠を交換する際には、必要に応じて、カバー部材を開放して作業を行うことができる。
【００１４】
さらに、請求項２の施錠装置によれば、前面枠施錠杆とガラス枠施錠杆に各々ロック部材が揺動可能に枢支され、前面枠の施錠時には前面枠施錠杆がそのロック部材によりロックされ、ガラス枠の施錠時にはガラス枠施錠杆がロック部材によりロックされるため、針金などの不正器具によって前面枠施錠杆またはガラス枠施錠杆を動かすような不正解錠を防止することができる。また、解錠操作時には、１本のロック解除部材の移動によってロック部材のロックを解除して解錠を行うことができ、比較的少ない数の部品と簡易な構造により施錠装置を形成することができる。また、前面枠施錠杆の鉤部近傍の側部に及びガラス枠施錠杆の鉤部近傍の側部に、ロック部材を揺動可能に枢支したから、ロック部材の形状を小形化することができると共に、ロック部材の係止部が係止され且つ鉤部が係止される受け金具の形状も小形化することができる。
【発明を実施するための最良の形態】
【００１５】
以下、本発明の実施形態を図面に基づいて説明する。図１はパチンコ機用の施錠装置の正面図を、図２はその右側面図を、図３はその左側面図を各々示している。また、図４はその背面図を示し、図５はその平面図を示し、図６は背面側からの斜視図を示している。本施錠装置は、概略的には、縦長の基枠体１の支持板３ａ，３ｂの外側に、前面枠施錠杆４とガラス枠施錠杆５を上下に摺動可能に取り付け、基枠体１の正面の取付板２に取り付けたシリンダ錠７の錠軸７ａを回動させたとき、その錠軸７ａに固定したカム部材１０を、前面枠施錠杆４またはガラス枠施錠杆５に選択的に係合させ、これを摺動させて解錠するように構成される。
【００１６】
基枠体１は、断面を略コ字状としたチャンネル状に形成され、チャンネル状の基枠体１には、３面の壁部１ａ，１ｂ、１ｃが相互に直角につまり方形に曲折されて形成されており、その壁部１ｃが基枠体１の正面をなす取付板２となり、正面（図１の壁部１ｃ）に向かって右側に壁部１ａが形成され、背面側に壁部１ｂが形成されている。施錠装置の正面となる取付板２には、シリンダ錠７が正面側に突き出すようにフランジ７ｂを介して取付板２に取り付けられる。また、取付板２には、取付ねじを挿入して前面枠に取り付けるための複数の取付孔が穿設される。
【００１７】
コ字状断面の基枠体１には、正面に向かって左側面に開口部が形成され、基枠体１の右側面に壁部１ａが形成され、その背面に壁部１ｂが形成される。これにより、基枠体１の構造は、正面の取付板２（壁部１ｃ）、右側面の壁部１ａ及び背面の壁部１ｂにより、断面コ字状として３方を閉じた形状となっている。背面の壁部１ｂにおけるシリンダ錠７に対向した部分には、シリンダ錠７の着脱などのために、開口部１ｅが形成され開口している。この壁部１ｂの開口部１ｅには、カバー部材１９が、背面の壁部１ｂの内側に摺動可能に配設される。
【００１８】
図９、図１０に示すように、カバー部材１９はＬ字状断面を持つように板材を曲折して形成され、側部にガイド孔１９ｂが形成され、基枠体１の右側面の壁部１ａに沿って摺動するようにガイドピンがガイド孔１９ｂに挿通され、その先端が壁部１ａに固定される。これにより、カバー部材１９は開口部１ｅを開閉するように摺動する。壁部１ｂの開口部１ｅは図１０のように、シリンダ錠７とカム部材１０を取り付けた後、カバー部材１９を摺動させて閉鎖される。この壁部１ｂの開口部１ｅをカバー部材１９で覆うことにより、カム部材１０周縁の正面、背面、右側面は完全に覆った状態となる。一方、図７に示すように、基枠体１内の上端部と下端部の取付板２（壁部１ｃ）と壁部１ｂ間に、金属板を略コ字状に折り曲げた補強部材１ｄがはめ込まれて固定され、取付板２（壁部１ｃ）と壁部１ｂの補強を行なっている。
【００１９】
さらに、基枠体１の背面と正面の縁部つまり開口部に向かう縁部に、各々支持板３ａ，３ｂが、基枠体１の正面部と背面部側に直角に曲折されるようにして、一体的に突出形成されている。このような基枠体１には、図７、図８などに示すように、背面側に突設された支持板３ａの外側（正面に向かって左側）に、後述の前面枠２１を施錠するための前面枠施錠杆４がガイドピン４ｄを介して上下に摺動可能に取り付けられ、正面側に突設された支持板３ｂの外側（正面に向かって左側）に、ガラス枠施錠杆５がガイドピン５ｄを介して上下に摺動可能に取り付けられる。
【００２０】
本施錠装置は、後述のようにパチンコ機の前面枠２１の自由端側端部の内側に取り付けられるが、この場合、前面枠２１の自由端側の本体枠２０との合わせ部分に近い基枠体１の右側面が、壁部１ａで閉鎖され、且つ背面側も壁部１ｂで閉鎖され、これにより、前面枠２１の自由端側の本体枠２０との合わせ部分の隙間から挿入された針金などの不正器具は、これらの壁部１ａ，１ｂにより阻止され、前面枠施錠杆４やガラス枠施錠杆５などに到達しにくくしている。
【００２１】
図８に示すように、基枠体１の取付板２の中間部下寄りに、シリンダ錠７を取り付けるための開口部が形成され、フランジ７ｂを有するシリンダ錠７が、その開口部に内側から、鍵穴先端を外側に突き出すように挿入され、フランジ７ｂを取付板２の内側に当て、固定ねじをフランジ７ｂの取付孔に挿入して締付け固定される。図７、図８のように、シリンダ錠７の錠軸７ａには、カム部材１０が固定される。
【００２２】
カム部材１０には第１係合凸部１０ａと第２係合凸部１０ｂが設けられ、シリンダ錠７に挿入したキーを右に回したとき、カム部材１０が図４の反時計方向に回動し、第１係合凸部１０ａが前面枠施錠杆４の係合部４ｆ（図７）に係合してこれを上方に摺動させる。またこのとき、第１係合凸部１０ａはロック解除部材６の係合部６ｃに係合し、これを上方に摺動させる。一方、ガラス枠２２を解錠するために、キーを左に回したとき、カム部材１０が図４の時計方向に回動し、第２係合凸部１０ｂがガラス枠施錠杆５の係合部５ｆ（図７）に係合してこれを下方に摺動させる。
【００２３】
前面枠施錠杆４は、図７、図８に示すように、帯状に形成され、その帯状本体の上端部と下端部に、フック状の鉤部４ａ、４ｂが背面側に突き出すように係止部を下向きに設けて形成されている。また、前面枠施錠杆４の上端部と下端部の近傍に、ガイド孔４ｃが形成され、帯状本体の中間部下寄りのシリンダ錠７のカム部材１０に対応した位置に、係合部４ｆがカム部材１０と係合可能に形成される。特に、図８に示すように、その帯状本体の中間上部位置には、凹み部４ｇが形成され、前面枠施錠杆４が支持板３ａの外側にガイドピン４ｄ，４ｅを介して取り付けられた際、その凹み部４ｇが基枠体１の内部に入る構造となっている。これにより、前面枠施錠杆４の凹み部４ｇが基枠体１内に入って隠れることとなり、前面枠の自由端側から挿入される不正器具が前面枠施錠杆４に達しにくくしている。
【００２４】
また、前面枠施錠杆４の下部の鉤部４ｂ近傍に、ロック部材８が枢軸８ａによって揺動可能に枢支されている。ロック部材８は、前面枠施錠杆４が施錠状態にあるとき、外部から力が印加された場合でも、その摺動をロックするもので、その一方の先端に係止部８ｂが形成され、前面枠２１を閉じて鉤部４ａ，４ｂが上受け金具２３と下受け金具２４に係止されたとき、下受け金具２４の係止部２４ａにこの係止部８ｂが係止され、前面枠施錠杆４をロックする。ロック部材８の他方の端部に係合部８ｃがロックを解除するために設けられる。この係合部８ｃは後述のロック解除部材６の押し上げ部６ｄにより押し上げられたとき、ロック部材８をロック解除方向に揺動させるように動作する。
【００２５】
ガラス枠施錠杆５は、図７、図８に示すように、帯状に形成され、その帯状本体の上端部と下端部に、フック状の鉤部５ａ、５ｂを正面側に突き出すように係止部を上向きに設けている。また、ガラス枠施錠杆５の上端部と下端部の近傍に、ガイド孔５ｃが形成され、帯状本体の下部のシリンダ錠７のカム部材１０に対応した位置に、係合部５ｆがカム部材１０と係合可能に形成される。また、図８の如く、その帯状本体の中間部位置には、凹み部５ｈが形成され、ガラス枠施錠杆５が支持板３ｂの外側にガイドピン５ｄ，５ｅを介して取り付けられた際、その凹み部５ｈが基枠体１の内部に入る構造となっている。これにより、ガラス枠施錠杆５の凹み部５ｈが基枠体１内に入って隠れることとなり、隙間から挿入される不正器具がガラス枠施錠杆５に達しにくくしている。
【００２６】
さらに、ガラス枠施錠杆５の下部の鉤部５ｂ近傍に、ロック部材９が枢軸９ａによって揺動可能に枢支される。ロック部材９は、ガラス枠施錠杆５が施錠状態にあるとき、外部から力が印加された場合でも、その摺動をロックするもので、その一方の先端に係止部９ｂが形成され、ガラス枠２２を閉じて鉤部５ａ，５ｂがガラス枠受け金具２５に係止されたとき、ガラス枠受け金具２５の係止部２５ｃにこの係止部９ｂが係止され、ガラス枠施錠杆５をロックする。ロック部材９の他方の端部に係合部９ｃがロックを解除するために設けられる。この係合部９ｃは後述のロック解除部材６の押し下げ部６ｅにより押し下げられたとき、ロック部材９をロック解除方向に揺動させるように動作する。
【００２７】
上記のロック部材８，９には、各々ばね部材（コイルばねとトーションばね）８ｄ、９ｄが装着され、ロック部材８，９はこのばね部材８ｄ、９ｄによりロック方向に付勢される。また、前面枠施錠杆４とガラス枠施錠杆５の間には、ばね部材（コイルばね）１３が掛け渡され、相互に施錠する側に付勢している。
【００２８】
図３に示すように、本施錠装置の最左側部のシリンダ錠近傍に、ロック部材８，９のロックを解除するための、ロック解除部材６が上下摺動可能に配設される。上述のように、ロック部材８は施錠状態における前面枠施錠杆４をロックし、ロック部材９は施錠状態におけるガラス枠施錠杆５をロックするが、シリンダ錠７をキーにより操作してカム部材１０を回動させ、前面枠施錠杆４またはガラス枠施錠杆５にカム部材１０を係合させて解錠方向に移動させる際、ロック部材８またはロック部材９によるロックを解除するために、ロック部材８またはロック部材９を揺動させる。このロック部材８またはロック部材９によるロックを解除するために、ロック解除部材６が装置の最左側部に摺動可能に取り付けられる。
【００２９】
図７に示すように、ロック解除部材６の上部と下部には、ガイド孔６ａ，６ｂが設けられ、そのガイド孔６ａ，６ｂにガイドピン１１，１２が挿通され、その先端が前面枠施錠杆４に固定される。ロック解除部材６の上部に押し下げ部６ｅが設けられ、ロック解除部材６の下部に押し上げ部６ｄが傾斜して設けられ、押し下げ部６ｅはガラス枠施錠杆５をロックするロック部材９の係合部９ｃに係合してこれをロック解除方向に揺動させる。また、押し下げ部６ｄは前面枠施錠杆４をロックするロック部材８の係合部８ｃに係合してこれをロック解除方向に揺動させる。ロック解除部材６の中間部に、カム部材１０と係合する係合部（矩形孔）６ｃが設けられ、カム部材１０の作動によりロック解除部材６は摺動してロックを解除する構造である。
【００３０】
上記構成の施錠装置は、図１１、図１２に示すように、パチンコ機の前面枠２１の自由端側（前面枠２１の正面視で右端）の内側に、シリンダ錠７の先端を前面に露出させ、鉤部４ａ、４ｂを本体枠２０側に向けた状態で、取付板２を用いて縦に取付けられる。ガラス枠施錠杆５の鉤部５ａ，５ｂは、前面枠２１の正面側に設けたガラス枠２２用の空間内に突出した状態で装着される。
【００３１】
図６などに示すように、基枠体１の右側面は壁部１ａにより閉じられ、その背面も壁部１ｂにより閉じられた構造のため、仮に前面枠２１の自由端側の隙間から針金等が差し込まれた場合でも、基枠体１の内側に針金等の先端が到達することは難しい。また、支持板３ａ，３ｂの外側に位置する前面枠施錠杆４、ガラス枠施錠杆５、ロック部材８，９に対しては、壁部１ａ、１ｂ及び支持板３ａ，３ｂが壁となって、針金等の先端を到達させることはできない。これは針金等の不正器具を使用した不正解錠の防止に対し非常に効果的である。
【００３２】
本体枠２０の内側には、図１１、図１２に示すように、係止部２３ａを有する上受け金具２３が鉤部４ａの対応位置に取り付けられ、係止部２４ａを有する下受け金具２４が鉤部４ｂの対応位置に取り付けられる。
【００３３】
一方、前面枠２１の前面に開閉可能に取り付けられたガラス枠２２の自由端側の内側には、ガラス枠用の上受け金具２５ａが設けられ、この上受け金具２５ａには、ガラス枠施錠杆５の鉤部５ａが係止される。また、ガラス枠２２自由端側の下方に、下受け金具２５ｂが設けられ、この下受け金具２５ｂに、ガラス枠施錠杆５の鉤部５ｂが係止される。この上受け金具２５ａと下受け金具２５ｂは、ガラス枠２２の内側に取り付けた枠体により形成することもできる。さらに、下受け金具２５ｂの下側に、ガラス枠２２のロック部材９の係止部９ｂが係止される鉤型の係止部２５ｃが設けられ、ロック部材９の係止部９ｂが係止部２５ｃに係止されることにより、ガラス枠施錠杆５の下降を阻止するようしている。
【００３４】
前面枠２１を本体枠２０に対し閉じると、前面枠施錠杆４の上下の鉤部４ａ，４ｂの傾斜部が本体枠２０側の係止部２３ａ、２４ａに当って前面枠施錠杆４が一旦上方に摺動し、鉤部４ａ，４ｂが係止部２３ａ、２４ａに係止されたとき、前面枠施錠杆４が下方に戻るように移動すると共に、ロック部材８の係止部８ｂが下受け金具２４の係止下縁部に下側から係止され、施錠状態となる。このとき、図１３に示すように、鉤部４ｂが係止部２４ａの上部に係止され、前面枠施錠杆４に枢支されたロック部材８の係止部８ｂが、下受け金具２４の係止下縁部に下部に係止され、下受け金具２４の係止部２４ａが鉤部４ｂとロック部材８により上下から挟まれるようにロックされる。
【００３５】
このため、キーを使用せずに針金などの不正器具を使用して前面枠施錠杆４を移動させることはできず、不正器具による不正解錠を、効果的に阻止することができる。また、ロック部材８が前面枠施錠杆４の鉤部４ｂの近傍に枢支され、下受け金具２４の係止部２４ａを鉤部４ｂとロック部材８の係止部８ｂとで挟むようにロックするため、下受け金具２４の形状は小形化が可能となり、また、確実に前面枠施錠杆４をロックすることができる。
【００３６】
一方、前面枠２１に対しガラス枠２２を閉じると、ガラス枠施錠杆５の上下の鉤部５ａ，５ｂの傾斜部がガラス枠２２側の上受け金具２５ａと下受け金具２５ｂに当ってガラス枠施錠杆５が一旦下方に摺動し、鉤部５ａ，５ｂが上下受け金具２５ａ、２５ｂに係止されたとき、ガラス枠施錠杆５が上方に戻るように移動すると共に、ロック部材９の係止部９ｂが下受け金具２５ｂの下側の係止部２５ｃに係止され、ガラス枠２２は図１１のように施錠状態となる。この施錠状態において、図１１の如く、ガラス枠施錠杆５に枢支されたロック部材９の係止部９ｂが鉤型の係止部２５ｃに係止されて、ガラス枠施錠杆５はその上下動特に下降動作をロックされるため、キーを使用せずに針金などの不正器具を使用しての不正解錠を、効果的に阻止することができる。
【００３７】
前面枠２１をキーにより解錠する場合は、キーをシリンダ錠７に差し込み、その錠軸７ａを回し、カム部材１０を図４の反時計方向に回転させる。このとき、図１４に示すように、カム部材１０の第１係合凸部１０ａが、先ず、ロック解除部材６の係合部６ｃに当たってこれを上方に摺動させる。このとき、ロック解除部材６の押し上げ部６ｄがロック部材８の係合部８ｃを押し、これにより、ロック部材８が図１４の反時計方向に回動し、ロック部材８の係止部８ｂが下受け金具２４の係止下縁部から離脱する。さらに、カム部材１０の第１係合凸部１０ａが回動して、前面枠施錠杆４の係合部４ｆに係合し、前面枠施錠杆４を上方に持ち上げるように動作すると、ロック部材８の係止部８ｂによるロックが外れているから、前面枠施錠杆４が上方に摺動し、鉤部４ａ，４ｂが係止部２３ａ，２４ａから離脱し、前面枠２１は解錠される。
【００３８】
このように、キーを右に回して、カム部材１０の第１係合凸部１０ａを同方向に回動させれば、ロック解除部材６を摺動させ、ロック部材８を揺動させてロックを外しながら、前面枠施錠杆４を解錠方向に移動させ、鉤部４ａ，４ｂをスライドさせて、解錠することができる。
【００３９】
一方、ガラス枠２２を解錠する場合、シリンダ錠７に差し込んだキーを左に回すと、カム部材１０が同方向に回動し、その第２係合凸部１０ｂが、図１５に示すように、先ず、ロック解除部材６の一部に当たってこれを下方に摺動させる。このとき、ロック解除部材６の押し下げ部６ｅがロック部材９の係合部９ｃを押し、これにより、ロック部材９が図１５の時計方向に回動し、ロック部材９の係止部９ｂがガラス枠の下受け金具２５の係止部２５ｃから離脱する。
【００４０】
さらに、カム部材１０の第２係合凸部１０ｂが回動して、ガラス枠施錠杆５の係合部５ｆに係合し、ガラス枠施錠杆５を下方に押し下げるように動作すると、ロック部材９の係止部９ｂによるロックが外れているから、ガラス枠施錠杆５は下方に摺動し、鉤部５ａ，５ｂが上受け金具２５ａ，下受け金具２５ｂから離脱し、ガラス枠２２は解錠される。
【００４１】
このように、前面枠施錠杆４とガラス枠施錠杆５に各々ロック部材８，９が揺動可能に枢支され、前面枠の施錠時には前面枠施錠杆４がそのロック部材８によりロックされ、ガラス枠の施錠時にはガラス枠施錠杆５がロック部材９によりロックされるため、針金などの不正器具によって前面枠施錠杆４またはガラス枠施錠杆５を動かすような不正解錠を防止することができる。また、解錠操作時には、１本のロック解除部材６の移動によって、各ロック部材８，９のロックを解除して解錠を行うことができ、比較的少ない数の部品と簡易な構造により施錠装置を形成することができる。
【００４２】
さらに、基枠体１がチャンネル材形状の断面コ字状に形成され、基枠体１の正面に向かって右側面に壁部１ａが形成されると共に、背面にも壁部１ｂが形成され、カム部材１０の対応した位置に設けた開口部１ｅにカバー部材１９を設けてカバーしている。これにより、基枠体１の正面の壁部１ｃとなる取付板２に取り付けられたシリンダ錠７の錠軸のカム部材１０が、３面の壁部１ａ〜１ｃとカバー部材１９で閉じられた空間に配置される。そして、前面枠施錠杆４、ガラス枠施錠杆５は、基枠体１の背面の壁部１ｂの左側縁部から背面側に延設された支持板３ａ及び正面側の取付板２の左側縁部から正面側に延設された支持板３ｂの左側（前面枠２１とガラス枠２２の自由端から遠い部分）に配置されることになる。
【００４３】
したがって、本体枠２０と前面枠２１の自由端側（パチンコ機の正面に向かって右側端部）の隙間から、針金等の不正器具を差し込んで、基枠体１に不正器具の先端が達したとしても、カム部材１０、前面枠施錠杆４、及びガラス枠施錠杆５などは基枠体１の左側に隠れ、基枠体１の壁部１ａ〜１ｃが不正器具を有効にブロックすることとなるから、施錠杆などを動かすことはできず、不正解錠を防止することができる。また、カム部材１０を調整し或いはシリンダ錠７を交換する際には、図１６に示すように、カバー部材１９を摺動させて開口部１ｅを開放した状態とし、容易に交換作業などを行なうことができる。
【００４４】
図１７は、カバー部材における他の実施形態を示している。このカバー部材２９は、合成樹脂により略箱型に一体成形され、基枠体１の開口部１ｅ内にその背面側から密に挿入可能な大きさに成形されている。また、カバー部材２９の両側部には、係止爪２９ａが設けられ、基枠体１の開口部１ｅ内に挿入されたとき、図１８のように、基枠体１の壁部１ｂの縁部に係止爪２９ａを係止させて、カバー部材２９を取り付ける構造となっている。係止爪２９ａはばね弾性を有して弾性変形可能とされ、係止爪２９ａを内側に変形させることにより、カバー部材２９は基枠体１の開口部１ｅから外すことができる。したがって、このカバー部材２９によっても、基枠体１の背面側のカム部材１０近傍はカバーすることができ、シリンダ錠７の交換作業などの際は、カバー部材２９を外して作業を行なうことができる。
【図面の簡単な説明】
【００４５】
【図１】本発明の一実施形態を示す施錠装置の正面図である。
【図２】同施錠装置の右側面図である。
【図３】同装置の左側面図である。
【図４】同装置の背面図である。
【図５】同施錠装置の拡大平面図である。
【図６】同施錠装置の背面側からの斜視図である。
【図７】同施錠装置の分解左側面図である。
【図８】同施錠装置の分解背面図である。
【図９】カバー部材１９の斜視図である。
【図１０】カバー部材１９を閉鎖した状態の拡大斜視図である。
【図１１】施錠装置の使用状態を示し、前面枠とガラス枠を閉じた左側面図である。
【図１２】本体枠に対し前面枠を開き、前面枠に対しガラス枠を開いた状態の左側面図である。
【図１３】前面枠を閉じて施錠する際の動きを示す説明図である。
【図１４】前面枠を解錠操作したときの前面枠施錠杆とロック部材８の動きを示す説明図である。
【図１５】ガラス枠を解錠する際のガラス枠施錠杆５とロック部材９の動きを示す説明図である。
【図１６】（ａ）はカバー部材１９を半開きした状態の拡大斜視図を示す、（ｂ）はカバー部材１９を完全に開いた状態の拡大斜視図である。
【図１７】カバー部材２９の拡大斜視図である。
【図１８】カバー部材２９を装着した状態の部分拡大斜視図である。
【符号の説明】
【００４６】
１      基枠体
１ａ    壁部
１ｂ    壁部
１ｃ    壁部
１ｅ    開口部
２      取付板
３ａ    支持板
３ｂ    支持板
４      前面枠施錠杆
４ａ    鉤部
４ｂ    鉤部
５      ガラス枠施錠杆
５ａ    鉤部
５ｂ    鉤部
７      シリンダ錠
１０    カム部材
１０ａ  第１係合凸部
１０ｂ  第２係合凸部
１９    カバー部材
２０    本体枠
２１    前面枠
２２    ガラス枠
【図１】
2008061701.tif 000003
【図２】
2008061701.tif 000004
【図３】
2008061701.tif 000005
【図４】
2008061701.tif 000006
【図５】
2008061701.tif 000007
【図６】
2008061701.tif 000008
【図７】
2008061701.tif 000009
【図８】
2008061701.tif 000010
【図９】
2008061701.tif 000011
【図１０】
2008061701.tif 000012
【図１１】
2008061701.tif 000013
【図１２】
2008061701.tif 000014
【図１３】
2008061701.tif 000015
【図１４】
2008061701.tif 000016
【図１５】
2008061701.tif 000017
【図１６】
2008061701.tif 000018
【図１７】
2008061701.tif 000019
【図１８】
2008061701.tif 000020